(57)【特許請求の範囲】
【請求項１】
第１の言語に基づく第１の文字および画像を含む原稿を画像入力する原稿入力手段と、
この原稿入力手段から画像入力された原稿画像データを解析して文書データ領域と画像データ領域とに領域分離する分離手段と、
この分離手段により分離された前記文書データ領域から文字画像を切り出して第１の文字を認識する認識手段と、
この認識手段により認識された第１の文字に対応する文字データを第２の言語に基づく第２の文字データに翻訳する翻訳手段と、
前記分離手段により領域分離された文書データ領域情報および前記第２の文字データに基づいてレイアウトされた印刷データを生成するデータ生成手段と、
このデータ生成手段により生成された前記印刷データに基づいて第２の文字データと前記原稿画像データをそれぞれ記録媒体の各片面に振り分けて両面印刷する印刷手段と、
を有することを特徴とする画像処理装置。
【請求項２】
第１の言語に基づく第１の文字および画像を含む原稿を原稿入力手段から画像入力する原稿入力工程と、
該画像入力された原稿画像データを解析して文書データ領域と画像データ領域とに領域分離する分離工程と、
該分離された前記文書データ領域から文字画像を切り出して第１の文字を認識する認識工程と、
該認識された第１の文字に対応する文字データを第２の言語に基づく第２の文字データに翻訳する翻訳工程と、
前記領域分離された文書データ領域情報および前記第２の文字データに基づいてレイアウトされた印刷データを生成するデータ生成工程と、
該生成された前記印刷データに基づいて第２の文字データと前記原稿画像データをそれぞれ記録媒体の各片面に振り分けて両面印刷する印刷工程と、
を有することを特徴とする画像処理方法。
【発明の詳細な説明】
【０００１】
【産業上の利用分野】
本発明は、入力される文字および画像が印刷された原稿画像を読み取り、該読み取られた文字画像を文字認識するとともに、該認識した文字を所定の言語に翻訳して画像出力する画像処理装置および画像処理方法に関するものである。
【０００２】
【従来の技術】
従来、例えば、この種の画像処理装置を利用して、日本語で印刷された名刺の原稿を基に、英語表示の名刺を作成する場合、英語用の版を新たに作成して、印刷していた。
【０００３】
また、片面に日本語で印刷された名刺の原稿を基に、片面が日本語、反対側の面が英語表示の名刺を作成する場合、日本語用の版と、英語用の版の両方を最初から作成して、両面印刷装置で印刷していた。
【０００４】
【発明が解決しようとする課題】
このように、上記従来例では、原稿となる日本語の名刺情報が作成されているにもかかわらず、全く新規に、英語用の名刺版情報を作成しなくてはならないと言う問題点があった。
【０００５】
本発明は、上記の問題点を解決するためになされたもので、本発明の目的は、原稿画像入力された原稿画像データ中から画像データと文書画像データとを分離し、該分離した文書画像データから文字認識された文字を他の言語に翻訳して、さらに、領域分離された文書データ領域情報および第２の文字データに基づいてレイアウトされた印刷データを生成し、翻訳された文字および入力原稿画像をそれぞれ記録媒体の各片面に振り分けて両面印刷することにより、簡単な原稿画像入力操作で、１つの言語に基づく文字画像を他の言語に翻訳してレイアウト印字すること、あるいは同一記録媒体の各面に振り分けて両面印刷することができる画像処理装置および画像処理方法を提供することを目的とする。
【０００６】
【課題を解決するための手段】
本発明に係る第１の発明は、第１の言語に基づく第１の文字および画像を含む原稿を画像入力する原稿入力手段と、この原稿入力手段から画像入力された原稿画像データを解析して文書データ領域と画像データ領域とに領域分離する分離手段と、この分離手段により分離された前記文書データ領域から文字画像を切り出して第１の文字を認識する認識手段と、この認識手段により認識された第１の文字に対応する文字データを第２の言語に基づく第２の文字データに翻訳する翻訳手段と、前記分離手段により領域分離された文書データ領域情報および前記第２の文字データに基づいてレイアウトされた印刷データを生成するデータ生成手段と、このデータ生成手段により生成された前記印刷データに基づいて第２の文字データと前記原稿画像データをそれぞれ記録媒体の各片面に振り分けて両面印刷する印刷手段とを有することを特徴とする。
【０００７】
本発明に係る第２の発明は、第１の言語に基づく第１の文字および画像を含む原稿を原稿入力手段から画像入力する原稿入力工程と、該画像入力された原稿画像データを解析して文書データ領域と画像データ領域とに領域分離する分離工程と、該分離された前記文書データ領域から文字画像を切り出して第１の文字を認識する認識工程と、該認識された第１の文字に対応する文字データを第２の言語に基づく第２の文字データに翻訳する翻訳工程と、前記領域分離された文書データ領域情報および前記第２の文字データに基づいてレイアウトされた印刷データを生成するデータ生成工程と、該生成された前記印刷データに基づいて第２の文字データと前記原稿画像データをそれぞれ記録媒体の各片面に振り分けて両面印刷する印刷工程とを有することを特徴とする。
【００１８】
【実施例】
〔第１実施例〕
本発明の第１の実施例は、原稿画像中の画像および文字をそれぞれ認識して、該認識された文字を所定の言語に翻訳して、例えば名刺としてそれぞれを表裏に印刷する場合を例とする。
【００１９】
ここでは、原稿から入力される言語が日本語、翻訳されて印刷される言語が英語の場合に関して説明する。
【００２０】
図１は本発明の第１実施例を示す画像処理装置の構成を説明するブロック図である。
【００２１】
図において、１は原稿の入力部であり、フラットベットスキャナ等がこれに当たる。ここから、原稿となる日本語の名刺が入力される。入力部１によって入力された原稿画像データは後述する認識部９に送られる。認識部９は、入力部１から送られてきた原稿画像データを受け取り、これから文字や絵が描かれている領域を分離して、さらに、そこに描かれた文字画像の内容を認識する機能を持っている。
【００２２】
この認識部９で分離した文字領域の位置・大きさ等のレイアウト情報と、認識した文字内容を後述する処理部２に送る。処理部２は、入力部１，認識部９を含む後述する各部を総括的に制御したり、出力用版作成等の処理がここで行われる。
【００２３】
３は蓄積部であり、ハードディスク等で構成され、認識部９から処理部２に送られたデータが一時的に収納されたり、処理部２が後述する翻訳部５で必要な処理データ等が収納されている。
【００２４】
４は表示部であり、モニタ等がこれに当たる。ここには、入力部１からの入力状態が表示されたり、出力前のレイアウトが確認のために表示されたりする。５は翻訳部であり、認識部９で認識された日本語を、ここで所定の言語、例えば英語に翻訳する。６は印刷部であり、本実施例では、名刺として認識された文字およびこの文字の翻訳文字を表裏面に印刷する。この印刷部６は、インクジェットプリンタやレーザプリンタのような、点の集合で文字や画像を印刷する機能を備えてる。また、印刷部６の中には、記憶部７が内蔵されており、印刷部６で使用する印刷データを保持できるように構成されている。
【００２６】
上記のように構成された画像処理装置において、具体的には、第１の言語に基づく第１の文字および画像を含む原稿を画像入力する原稿入力手段（入力部１）と、この原稿入力手段から画像入力された原稿画像データを解析して文書データ領域と画像データ領域とに領域分離する分離手段（認識部９の分離処理による）と、この分離手段により分離された前記文書データ領域から文字画像を切り出して第１の文字を認識する認識手段（認識部９の認識処理による）と、この認識手段により認識された第１の文字に対応する文字データを第２の言語に基づく第２の文字データに翻訳する翻訳手段（翻訳部５）と、前記分離手段により領域分離された文書データ領域情報および前記第２の文字データに基づいてレイアウトされた印刷データを生成するデータ生成手段（処理部２）と、このデータ生成手段により生成された前記印刷データに基づいて記録媒体に第２の文字データを印刷する印刷手段（印刷部６）とを有し、認識部９により原稿入力手段から画像入力された原稿画像データを解析して文書データ領域と画像データ領域とに領域分離されると、該分離された前記文書データ領域から文字画像を切り出して第１の文字を認識し、翻訳部３が該認識された第１の文字に対応する文字データを第２の言語に基づく第２の文字データに翻訳しておき、処理部２により該領域分離された文書データ領域情報および前記第２の文字データに基づいてレイアウトされた印刷データが生成されると、該生成された前記印刷データに基づいて印刷部６が記録媒体に第２の文字データを印刷して、文書原稿画像を入力する操作から１つの言語に基づく文字情報に対して他の言語に翻訳された文字情報を原稿に対応したレイアウトで印字することを可能とする。
【００２７】
次に、図２に示すフローチャートを参照して本発明に係る画像処理装置に係る画像処理の概略処理について説明する。
【００２８】
図２は本発明に係る画像処理装置に係る第１の画像処理の概略処理手順の一例を示すフローチャートである。なお、（１）〜（５）は各ステップを示す。
【００２９】
先ず、例えばフラットベットスキャナのような入力部１から、原稿となる日本語の名刺が画像入力されると（１）、入力部１で入力された原稿画像データは認識部９に送られる。次いで、認識部９により後述する認識処理ルーチンを実行する（２）。処理部２は、ステップ（２）で認識され、蓄積部３に記憶された日本語データと画像情報とレイアウト情報のうち、日本語データのみを読み出して、翻訳部５に送る。翻訳部５は、日本語から英語への翻訳機能を持っており、入力された日本語データを英語に翻訳して、再び処理部２に返す英語翻訳処理を実行する（３）。
【００３０】
例えば名前の「山田一郎」が送られてくると、「Ｉｃｈｉｒｏｕ  Ｙａｍａｄａ」が返される（「山田一郎」は固有名刺なので、単にローマ字表記に変換されただけであるが、例えば「電話」は、「Ｔｅｌｅｐｈｏｎｅ」または省略された「Ｔｅｌ．」に変換される）。日本語から英語への翻訳の手法に関しては、従来から各種の方法が提案されているため、ここでは詳細な説明は省略する。処理部２に送られた英語データは、蓄積部３に送られて、一時蓄積される。
【００３１】
次いで、ステップ（３）が終了した段階で、蓄積部３には、日本語データ，英語データ，画像情報，レイアウト情報の４種類の情報が蓄積されている。このうち、英語データと画像情報とレイアウト情報を用いることで、英語名刺の印刷データを作成する（４）。具体的には、英語のデータは、文字コードが、レイアウト情報で指定された位置で、印刷部６に対応した解像度で、指定された大きさのフォントを表現する画素の集合になるように、メモリ上に展開される。この時、日本語と英語の文字数の違いによって、英語の文字が指定レイアウトの中に入らない場合が出てくるが、この場合は、文字サイズを小さくするとか、他の領域と重ならない範囲でレイアウトの大きさを広げる等の処理を行う必要がある。
【００３２】
また、画像情報は、レイアウト情報の位置にそのまま画像として配置される。
【００３３】
このようにして作成された英語の印刷データは、後述する図３の（ｆ）で示したようなものとなり、印刷部６の内部にある記憶部７に送られる。
【００３４】
次いで、印刷部６は、記憶部７に収納された英語の印刷データを用いて、名刺用の印刷用紙に英語の印字を行（５）、処理を終了する。
【００３６】
上記のように構成された画像処理方法において、具体的には、第１の言語に基づく第１の文字および画像を含む原稿を原稿入力手段（入力部１）から画像入力する原稿入力工程（図２のステップ（１））と、該画像入力された原稿画像データを解析して文書データ領域と画像データ領域とに領域分離する分離工程（図２のステップ（２））と、該分離された前記文書データ領域から文字画像を切り出して第１の文字を認識する認識工程（図２のステップ（２））と、該認識された第１の文字に対応する文字データを第２の言語に基づく第２の文字データに翻訳する翻訳工程（図２のステップ（３））と、前記領域分離された文書データ領域情報および前記第２の文字データに基づいてレイアウトされた印刷データを生成するデータ生成工程（図２のステップ（４））と、該生成された前記印刷データに基づいて記録媒体に第２の文字データを印刷する印刷工程（図２のステップ（５））とをプログラムに基づいて処理部２が実行して、文書原稿画像を入力する操作から１つの言語に基づく文字情報に対して他の言語に翻訳された文字情報を原稿に対応したレイアウトで印字する処理をプログラマブルに実行可能とする。
【００３７】
以下、図３および図４を参照して、図２に示した認識処理ルーチンについて詳述する。
【００３８】
図３は本発明に係る画像処理装置における原稿画像認識処理状態を説明する図である。
【００３９】
図４は、図２に示した認識処理ルーチンの詳細手順の一例を示すフローチャートである。なお、（１）〜（８）は各ステップを示す。
【００４０】
なお、認識部９は、入力部１より、画像として読み込んだ図３の（ａ）で示すような原稿画像データを受け取っているものとする。
【００４１】
まず、原稿画像データの領域分離を行う（１）。本実施例において、領域分離とは、一塊となった画像領域や文字領域を切り出す処理であり、図３の（ｂ）で灰色で塗りつぶしたような領域１１〜１６が求められる。この領域は、原稿画像の地の色とは異なる画像を一群の矩形領域としてまとめることによって求められる。
【００４２】
次いで、ステップ（１）で切り出した領域の１つを選択する（２）。そして、選択した領域が画像領域であるか文字領域であるかの判定を行う（３）。これは、画像なら多様な色が用いられている、階調性のあるデータである、塗りつぶされた領域があってもかまわない等の特徴があり、文字なら、単一の色である場合が多い、ある幅の線の組み合わせで構成されている等の特徴があることを利用して判断するものである。
【００４３】
当該ステップ（３）の判定で、選択された領域が文字領域と判定された場合はステップ（４）に進み、画像領域と判定された場合は（７）に進む。
【００４４】
図３の（ｂ）の例では、領域１１〜１５は文字領域と判定されて、ステップ（４）に進み、領域１６は画像領域であると判定され手、ステップ（７）に進むことになる。
【００４５】
このようにして、ステップ（３）で文字領域であると判定された場合には、細領域分離処理を行う（４）。本実施例において、細領域分離処理とは、図３の（ｄ）に示すように、「山田一郎」と言う領域１２から、１文字ずつを切り出して、図３の（ｅ）に示したような領域１７〜２０を作り出す処理である。これは、図４に示したステップ（１）の領域分離の処理を、１つの領域（例えば領域１２）に対して、より細かいレベルで行うことによって、実現される。
【００４６】
次いで、文字認識の処理を行う（５）。これは、ステップ（４）で、１文字ずつに分離された領域１７〜２０のそれぞれに対して、どのような文字であるかを判定する処理である。この文字認識処理によって、１文字ずつの文字画像が、文字コードに変換される。
【００４７】
これは、あらゆる文字の特徴となる要素とその文字のコードが対になった辞書を持ち、認識すべき文字の特徴となる要素を比べることにより、どれかの文字を特定してその文字コードを返すことによって実現される。
【００４８】
次いで、文字のレイアウト情報と文字コードの情報を収納する処理を実行する（６）。これは、例えば図３の（ｂ）の領域１２の「山田一郎」の文字領域であれば、領域の左上の座標値（ｘ１２，ｙ１２）と、領域の幅ｗ１２と、領域の高さｈ１２が、レイアウト情報として収納される。そして、ステップ（５）で認識された文字コードが、同様に収納される。収納処理は、認識部９から、処理部２を経由して、蓄積部３に送られることによって実行される。
【００４９】
一方、ステップ（３）で画像であると判定された場合には、画像のレイアウト情報と画像データそのものが収納される処理を実行する（７）。ここでは、例えば、図３の（ｃ）に示したロゴの領域１６は、図３の（ｂ）に示すような、領域の左上の座標値（ｘ１６，ｙ１６）と、領域の幅ｗ１６と領域の高さｈ１６が、レイアウト情報として収納される。そして、領域１６の画像データ自体も、同様に収納される。収納処理は、上記ステップ（６）の場合と同じように、認識部９から、処理部２を経由して、蓄積部３に送られることによって実行される。
【００５０】
次いで、切り出した領域全てに対して処理が終ったかどうかの確認を行い（８）、まだ終っていない場合は、ステップ（２）に戻って、次の領域の処理が開始され、全ての領域の処理が終った場合は、処理を終了する。
【００５１】
図５は、図２に示した認識処理ルーチンの他の詳細手順の一例を示すフローチャートである。なお、（１），（２）（４）〜（８）は図４と同様の処理ステップに対応し、（９）は本実施例特有のステップを示す。すなわち、本認識処理ルーチンは、図４に示した認識処理ルーチンの内容と同様の処理の部分があるため、同一内容の部分は同じステップ番号を付けて説明を省略し、異なる部分のみを説明することにする。
【００５２】
図４のフローチャートでは、ステップ（２）の後に、領域が画像領域であるか文字領域であるかの判定を行う処理が組み込まれていたが、図５のフローチャートではこれが省略されて、そのまま、ステップ（４）に進んでいる。
【００５３】
従って、画像であっても、文字であるという前提で、ステップ（４）とステップ（５）の処理が実行される。画像の場合、当然のことながらステップ（５）の文字認識が行えないため、ステップ（５）の後で、文字認識が成功したか失敗したかの判定を行えば、成功であれば文字領域、失敗であれば画像領域であることがわかる。そこで、本認識処理では、ステップ（９）において、文字認識が成功したか失敗したかの判定を行い、成功した判定された場合には、ステップ（６）に進み、失敗したと判定した場合には、ステップ（７）に進むように処理される。これによって、事前の文字と画像の判定が不要になり、処理を簡単にすることができる。
【００５４】
以上の手順によって、原稿となる日本語の名刺を入力するだけで、自動的に英語表記の名刺を作成することができる。これによって、英語の入力を行う必要がなくなるため、作業時間を極めて短縮することができると言うメリットがある。
〔第２実施例〕
第２実施例は、第１実施例と同じく原稿となる日本語表記の名刺を用いて、片面に日本語表記、反対面に英語表記の両面印刷の名刺を作成する場合の例である。
【００５５】
以下、この装置構成とフローチャートに関して説明するが、ほとんどの装置構成と処理内容は、第１実施例と同一なので、以下の説明は、異なる部分のみ説明して、同一内容の部分は、第１実施例と同じ番号を付けて、説明を省略する。
【００５６】
図６は本発明の第２実施例を示す画像処理装置の構成を説明するブロック図であり、図１と同一のものには同一の符号を付してある。
【００５７】
第２実施例は、入力部６１で入力された画像データは、認識部９に送られると同時に、処理部２にも送られるようになっている。また、印刷部６２は、両面印刷機能を備えた印刷部となり、内部に、片面の印刷データ用の記憶部７と共に、反対面の印刷データ用の記憶部８を有している。
【００５９】
上記のように構成された画像処理装置において、具体的には、第１の言語に基づく第１の文字および画像を含む原稿を画像入力する原稿入力手段（入力部６１）と、この原稿入力手段から画像入力された原稿画像データを解析して文書データ領域と画像データ領域とに領域分離する分離手段（認識部９の分離処理による）と、この分離手段により分離された前記文書データ領域から文字画像を切り出して第１の文字を認識する認識手段（認識部９の認識処理による）と、この認識手段により認識された第１の文字に対応する文字データを第２の言語に基づく第２の文字データに翻訳する翻訳手段（翻訳部５）と、前記分離手段により領域分離された文書データ領域情報および前記第２の文字データに基づいてレイアウトされた印刷データを生成するデータ生成手段（処理部２）と、このデータ生成手段により生成された前記印刷データに基づいて記録媒体に第２の文字データまたは前記原稿画像データを記録媒体の各片面に振り分けて両面印刷する印刷手段（印刷部６２）とを有し、認識部９により入力部６１から画像入力された原稿画像データを解析して文書データ領域と画像データ領域とに領域分離されると、該分離された前記文書データ領域から文字画像を切り出して第１の文字を認識し、該認識された第１の文字に対応する文字データを第２の言語に基づく第２の文字データに翻訳しておき、該領域分離された文書データ領域情報および前記第２の文字データに基づいて処理部２によりレイアウトされた印刷データが生成されると、生成された前記印刷データに基づいて印刷部６２が記録媒体に記憶部７，８に記憶された第２の文字データまたは前記原稿画像データを記録媒体の各片面に振り分けて両面印刷して、文書原稿画像を入力する操作からレイアウトされた１つの言語に基づく文字情報に対して他の言語に翻訳された文字情報および元の文書原稿画像とを原稿に対応したレイアウトで、かつ同一記録媒体の各片面に振り分けて両面印字することを可能とする。
【００６１】
また、印刷手段は、画像データ領域に対応する原稿画像データを印刷して、原稿画像中の文字および画像の双方をレイアウト印字することを可能とする。なお、本実施例は、第１実施例の印刷部６にも適用することができる。
【００６２】
図７は本発明に係る画像処理装置に係る第２の画像処理の概略処理手順の一例を示すフローチャートである。なお、（１）〜（５）は各ステップを示す。また、該ステップ中の、ステップ（２），（３）は、上記第１実施例と同様の処理となるので説明を省略し、内容が異なるステップ（１），（４），（５）に関して詳述する。
【００６３】
先ず、例えばフラットベットスキャナのような入力部６１から、原稿となる日本語の名刺が入力されると（１）、入力部６１で入力された原稿画像データは、認識部９と、処理部２に送られる。次いで、認識部９に送られた原稿画像データは、認識処理が実行され（２）、処理部２に送られた原稿画像データは、一旦、蓄積部３に蓄積される（３）。
【００６４】
次いで、ステップ（３）が終了した段階で、蓄積部３には、日本語データ，英語データ，画像情報，レイアウト情報、およびステップ（１）で入力部６１から入力された原稿画像データが蓄積されている。このうち、英語の印刷データは、第１実施例と同様にして作成され、印刷部６２の内部にある記憶部８に送られる。また、日本語の印刷データは、原稿画像データそのものを用いることができるので、これが印刷部６２の内部にある記憶部７に送られて印刷データが作成される（４）。
【００６５】
次いで、記録材の片面に、記憶部７に入っている日本語印刷データを用いて日本語の印刷を行い、反対面には、記憶部８に入っている英語用印刷データを用いて英語の印字を行い（５）、処理を終了する。
【００６６】
以上説明したように、第２実施例では、簡単に、日本語，英語が両面に印刷された名刺を作成することができる。
【００６７】
なお、図７に示したステップ（４）では、日本語の印刷データは、入力部６１から入力された原稿画像データをそのまま使用して記憶部７に送ったが、ステップ（４）で英語の印刷データを作成したと同様な方法で、蓄積部３に蓄積された日本語データと画像情報とレイアウト情報を用いて、日本語印刷データを作成し、これを記憶部７に送って日本語の印刷を行う方法も可能である。この方法を用いれば、入力部６２からの入力の際に生じた画像劣化がない状態で日本語の印刷ができるので、より良質の印刷を行うことができる。
【００６９】
上記のように構成された画像処理方法において、具体的には、第１の言語に基づく第１の文字および画像を含む原稿を原稿入力手段（入力部６１）から画像入力する原稿入力工程（図７のステップ（１））と、該画像入力された原稿画像データを解析して文書データ領域と画像データ領域とに領域分離する分離工程（図７のステップ（２））と、該分離された前記文書データ領域から文字画像を切り出して第１の文字を認識する認識工程（図７のステップ（２））と、該認識された第１の文字に対応する文字データを第２の言語に基づく第２の文字データに翻訳する翻訳工程（図７のステップ（３））と、該領域分離された文書データ領域情報および前記第２の文字データに基づいてレイアウトされた印刷データを生成するデータ生成工程（図７のステップ（４））と、該生成された前記印刷データに基づいて記録媒体に第２の文字データまたは前記原稿画像データを記録媒体の各片面に振り分けて両面印刷する印刷工程（図７のステップ（５））とをプログラムに基づいて処理部２が実行して、文書原稿画像を入力する操作からレイアウトされた１つの言語に基づく文字情報に対して他の言語に翻訳された文字情報および元の文書原稿画像とを原稿に対応したレイアウトで、かつ同一記録媒体の各片面に振り分けて両面印字する処理をプログラマブルに実行可能とする。
【００７０】
なお、本発明に係る第１実施例と、第２実施例では、日本語から英語に翻訳する場合を例に説明したが、もちろん、英語から日本語への翻訳であってもかまわないし、世界各国のあらゆる１つの言語から、他の言語への翻訳であってもかまわない。この場合、翻訳部５にその翻訳機能が組み込まれていて、入力部１から翻訳される言語で書かれた原稿が入力されることによって、本発明の内容が実現される。
【００７１】
また、本発明に係る第１実施例と、第２実施例では、印刷データは、印刷部６の記憶部７または記憶部８に送られてから印刷される構成となっているが、印刷データも一旦蓄積部３に収納され、印刷時に印刷部６に送りながら印刷する構成であってもかまわない。
【００７２】
さらに、上記各実施例では、画像処理例として、名刺を作成する例に説明したが、もちろんこの発明は、名刺作成の内容に限られるものではなく、パンフレット等を日本語で作成して、所定の言語に翻訳した内容で商品説明文書（文字，図形，画像）を他の言語に翻訳して、両面印刷するような画像処理にも適用することができることはいうまでもない。
【００７３】
また、画像認識処理において、文字領域をあらかじめディジタイザ等で領域してしておくことにより、原稿サイズが大きい場合には、その精度や認識処理を高速化するように構成してもよい。
【００７４】
【発明の効果】
以上説明したように、本発明によれば、原稿画像入力された原稿画像データ中から画像データと文書画像データとを分離し、該分離した文書画像データから文字認識された文字を他の言語に翻訳して、さらに、領域分離された文書データ領域情報および第２の文字データに基づいてレイアウトされた印刷データを生成し、翻訳された文字および入力原稿画像をそれぞれ記録媒体の各片面に振り分けて両面印刷するので、簡単な原稿画像入力操作で、１つの言語に基づく文字画像を他の言語に翻訳してレイアウト印字すること、あるいは同一記録媒体の各面に振り分けて両面印刷することができるという効果を奏する。
【図面の簡単な説明】
【図１】本発明の第１実施例を示す画像処理装置の構成を説明するブロック図である。
【図２】発明に係る画像処理装置に係る第１の画像処理の概略処理手順の一例を示すフローチャートである。
【図３】本発明に係る画像処理装置における原稿画像認識処理状態を説明する図である。
【図４】図２に示した認識処理ルーチンの詳細手順の一例を示すフローチャートである。
【図５】図２に示した認識処理ルーチンの他の詳細手順の一例を示すフローチャートである。
【図６】本発明の第２実施例を示す画像処理装置の構成を説明するブロック図である。
【図７】本発明に係る画像処理装置に係る第２の画像処理の概略処理手順の一例を示すフローチャートである。
【符号の説明】
１  入力部
２  処理部
３  蓄積部
４  表示部
５  翻訳部
６  印刷部
７  記憶部
９  認識部
【図１】
0003636490.tif 000002
【図２】
0003636490.tif 000003
【図３】
0003636490.tif 000004
【図４】
0003636490.tif 000005
【図５】
0003636490.tif 000006
【図６】
0003636490.tif 000007
【図７】
0003636490.tif 000008